(57)【要約】【課題】簡易な構造のため、費用の低減を図ることが出来、且つ、開封時に微粉の発生を伴うことなく、粉粒体の漏れの完全な阻止や必要な強度に対し充分に満足した上で、開封を容易且つ完全に行うことが出来る開封容易な袋を提供する。【解決手段】紙状筒２の上紙２ａ及び下紙２ｂの一方を折り目４に沿い展開して、両側及びそれらの中心部に三角折込み部５、６及び開口部７を有する展開面８を形成し、上紙２ａ及び下紙２ｂに、開口部７を充分に塞ぐ折れ筋９ａ、９ｂを付けて、折れ筋９ｂに沿い下紙２ｂを開口部７側に折り畳んで両側の三角折込み部５、６同士で貼り合わせ、且つ上紙２ａの端辺に所定幅ｗの折曲げ片１０を形成し、その上紙２ａを、折れ筋９ａに沿い開口部７側に折り畳んで折曲げ片１０を不貼状態で下紙２ｂ上に、貼り合わせて開口部７を塞ぎ、上紙２ａ及び下紙２ｂ上にミシン目を刻設したアウターパッチを貼り合わせることで、上記課題を達成する。【選択図】 図１
2019085166.tif 000002
【特許請求の範囲】
【請求項１】
平坦に折り潰した紙状筒の一方の開口端部から内方に離れた位置に、該開口端部と平行な折り目を付け、開口端の両角を前記折り目まで折り込み、その状態で形成した上紙又は下紙の一方を前記折り目に沿い展開して、両側及びそれらの中心部に三角折込み部及び開口部を有する展開面を形成し、展開面の前記上紙及び下紙に、これらを前記開口部側に折り畳んで前記開口部を封鎖し、且つ折り目と平行な折れ筋を付けて、前記上紙の端辺を折れ筋と平行に所定幅を有して前記開口部側に折り畳んで折曲げ片を形成し、その状態の前記上紙を折れ筋に沿い前記開口部側に折り畳んで前記折曲げ片を不貼り状態で前記下紙上に貼り合わせて前記開口部を塞ぎ、更に、前記上紙及び下紙全面の周囲をミシン目を刻設したアウターパッチ（力紙）で接着被覆したことを特徴とする開封容易な袋。
【請求項２】
前記折り畳みが２回折にされた請求項１記載の開封容易な袋。
【請求項３】
前記ミシン目が、アウターパッチ（力紙）の横方向一方の端部から他方の端部にかけて直線状に形成されてなる請求項１または請求項２記載の開封容易な袋。
【請求項４】
前記ミシン目が、アウターパッチ（力紙）の中央部に釣り針状に形成されてなる請求項１ないし請求項３のいずれか１項記載の開封容易な袋。
【請求項５】
前記アウターパッチ（力紙）の紙の繊維が、ミシン目を引く方向に揃っている請求項１ないし請求項４のいずれか１項記載の開封容易な袋。
【発明の詳細な説明】
【技術分野】
【０００１】
本発明は、米、麦、コーンスターチ、デンプンなどの食品に由来する粉粒体、飼料、プラスチック樹脂、セメント、石灰、カーボンブラックなどの粉粒体を収納するための多層紙袋における開封に際して、微粉の発生を抑制し、且つ、少ない材料で、開封性を良好ならしめる構成を提供するものであり、より詳しくは、多層紙袋の開封に際し、従来用いられてきた開封テープ及びそれとともに用いられるアウターパッチを用いることなく、簡単な構成でコストを低減し得ると共に、従来の開封テープを使用した際の開封時にもたらされる微粉発生に伴う製品への混入の虞がなく、開封容易な多層紙袋に関する。
【背景技術】
【０００２】
従来より、上述した粉粒体を充填した紙袋の開封性を容易ならしめる着想については、様々な提案がなされているが、共通しているのは、紙袋の開封に際して、開封部に外貼りするアウターパッチの任意の箇所に細長のプラスチックテープを貼着した開封テープを用いていることである。
【０００３】
例えば、本出願人の出願に係る特開２００４-３０７００８号公報（特許文献１）には、平坦に折り潰した紙状筒の一方の開口端の両角に三角折り込み部を形成すると共に、その状態で紙状筒の折り潰しにより形成した上紙及び下紙の一方を開いて展開面を形成し、この展開の中心部開口を覆うために上紙及び下紙に折れ筋を付けて、展開面の両三角折り込み部を渡り中心部開口を覆うと共に折れ筋を外方にはみ出し、且つ引き剥がし片付のインナーパッチを、展開面に易剥離性接着剤にて貼り合わせて開封側開口部とし、上記折れ筋に沿い上紙及び下紙を折り畳んで貼り合わせ、その上に開封テープ付のアウターパッチ（力紙）を貼り付け、この開封テープを引き裂いて紙袋の開封を行うようにした開封容易な袋が開示されている。
【０００４】
しかしながら、この開封容易な袋は、アウターパッチの中心部に線状に一体化されている開封テープにより切断し、上紙及び下紙を剥がしてインナーパッチを裸出し、さらに、インナーパッチを引き剥がし片により剥がすという複数の動作が必要になるばかりでなく、密封性を確保するために、別途インナーパッチを設ける必要があるという煩雑さがある。
【０００５】
また、特開平９-１４２４９０号公報（特許文献２）には、紙筒の少なくとも一方の端部を、これら端縁と平行の第１折線を中心に開披して両側に三角折畳部を有する開披部を形成し、前記第１折線の両側の対称位置に該線と平行する第２折線を設け、これら第２折線に沿ってその外側の部分を内側に折り曲げ、該折曲部を重ね合わせ、貼着閉鎖した底部を形成するに際し、前記折曲げ部同士を剥離可能に貼着した六角底袋の底構造において、前記開披部の中央に長辺が両三角折畳部に跨り、かつ短辺が両第２折線を超える寸法の内底紙を一方の第２折線の外側に沿って線状に接着した六角底袋の底構造が開示されている。
【０００６】
しかしながら、特許文献２に記載された発明においても、袋を開封するには、開封ひもを添接した底当紙（特許文献１における開封テープと同義）を切り裂かなければならないものであり、開封時における微粉の発生は避けられない。
【０００７】
かくのごとく、上記特許文献１及び特許文献２に開示された発明は、いずれも、袋の開封作用において、開封テープを開封開始部として用いることによって、開封テープが付設されたアウターパッチを引き裂いて開口部を形成させるものであり、この際に微細な破片が発生し、これが袋内に充填された内容物に混入する事態を招く虞が憂慮されている。
【０００８】
本発明においては、かかる事態を回避するために、先行技術における開封テープを用いることなく、袋の開封を容易ならしめる方法を模索しており、その結果、開封テープが付設されたアウターパッチに代えて、開封テープを引き裂くことによってもたらされる微粉の発生を回避するために、開封テープを用いずに、開封の際にアウターパッチ自体が引き裂かれる構成を模索した結果、開封テープに代えて、アウターパッチに直接ミシン目を刻設したものを用いることによって、開封時に微粉の発生を伴わずに、スムーズな袋の開封操作が行われることを確認するに至り、本件出願に至ったものである。
【０００９】
かかる観点から、開封のために、アウターパッチに直接ミシン目を刻設したものを用いて、このミシン目を紙袋の開封に用いる先行技術を探索したところ、特開２００３-２７６７４０号公報（特許文献３）がミシン目を利用した開封技術という点で近似技術として検索された。
【００１０】
特許文献３には、重ね合わせた複数枚の原紙のそれぞれの側縁が接着されて複数枚の筒状体が形成され、該筒状体の両端の開口部が封止される紙袋であって、前記筒状体の最外層の前記原紙に、筒状体の両端の前記封止部位の近傍に、それぞれ封止部位に沿ってミシン目を周方向に形成し、前記最外層の原紙の裏面に前記両端側のミシン目に跨るようにしたカットテープを貼り付けてなる紙袋が記載されている。
【００１１】
しかしながら、この紙袋は、製造業者から、例えば食品工場等への納品先への搬送中に紙袋全体の最外層が付着している紙袋の胴部の最外層を剥離して清潔な製品を提供するための手段であって、紙袋の内容物を排出するための開口部形成のためにミシン目を刻設したアウターパッチが使用されているものではない。しかも、紙袋の最外層は、ミシン目とカットテープが併用されて、初めて剥離除去されるものであり、ミシン目だけで最外層の除去が出来るものではないし本発明とはミシン目の使用目的が異なる。
【先行技術文献】
【特許文献】
【００１２】
【特許文献１】特開２００４−３０７００８号公報
【特許文献２】特開平９−１４２４９０号公報
【特許文献３】特開２００３-２７６７４０号公報
【発明の概要】
【発明が解決しようとする課題】
【００１３】
前述したように、上記特許文献１ないし３に開示された発明は、いずれも紙袋の内容物を排出するための開口部の構成に論及しているが、そこに開示された構成では、簡単な構成でコストを低減し得ると共に、従来の開封テープを使用した際の開封時にもたらされる微粉発生に伴う製品への混入の虞がなく、開封容易な多層紙袋を提供することが出来ない。
【００１４】
そこで、本発明の目的は、少ない部品数で構成され得る簡易な構造でありながら、粉粒体の漏れの完全な阻止や必要な強度を保ち、且つ、開封に際して、微細な紙粉などの発生を伴う虞がある開封テープを用いることなく、アウターパッチに刻設されたミシン目を引き裂くだけで、袋の開封を容易且つ完全に行うことが出来る開封機構を有する袋を提供することにある。
【００１５】
本発明の目的は、大まかに言って、袋の開封に際して、シート状のアウターパッチ上に、先端部の両側を切込み、この部分を開封開始部とする細長のフィルムを貼着した、従来用いられてきた開封テープを用いることなく、それに代えて、袋の開封部を、ミシン目を刻設したアウターパッチ（力紙）で覆い、且つ、開口の先端が折り畳まれた状態で袋の開口端部に形成されている上紙との構成が相俟って、本発明の目的とする、粉粒体の漏れの完全な阻止や必要な強度を保ち、且つ、開封に際して、微細な紙粉などの発生を伴う虞がある開封テープを用いることなく、アウターパッチに刻設されたミシン目を引き裂くだけで、袋の開封を容易且つ完全に行うことが出来、且つ、材料費を抑制することが出来る開封機構を有する袋を提供することが出来る。
【課題を解決するための手段】
【００１６】
本発明は、上記目的を達成するために提案されたものであって、下記の構成からなることを特徴とするものである。
すなわち、本発明によれば、平坦に折り潰した紙状筒の一方の開口端部から内方に離れた位置に、該開口端部と平行な折り目を付け、開口端の両角を前記折り目まで折り込み、その状態で形成した上紙又は下紙の一方を前記折り目に沿い展開して、両側及びそれらの中心部に三角折込み部及び開口部を有する展開面を形成し、展開面の前記上紙及び下紙に、これらを前記開口部側に折り畳んで前記開口部を封鎖し、且つ折り目と平行な折れ筋を付けて、前記上紙の端辺を折れ筋と平行に所定幅を有して前記開口部側に折り畳んで折曲げ片を形成し、その状態の前記上紙を折れ筋に沿い前記開口部側に折り畳んで前記折曲げ片を不貼り状態で前記下紙上に貼り合わせて前記開口部を塞ぎ、更に、前記上紙及び下紙全面の周囲をミシン目を刻設したアウターパッチ（力紙）で接着被覆したことを特徴とする開封容易な袋が提供される。
【００１７】
また、本発明によれば、前記折り畳みが２回折にされた上記開封容易な袋が提供される。
【００１８】
また、本発明によれば、前記ミシン目が、アウターパッチ（力紙）の横方向一方の端部から他方の端部にかけて直線状に形成されてなる上記開封容易な袋が提供される。
【００１９】
また、本発明によれば、前記ミシン目が、アウターパッチ（力紙）の中央部に釣り針状に形成されてなる上記開封容易な袋が提供される。
【００２０】
また、本発明によれば、前記アウターパッチ（力紙）の紙の繊維が、ミシン目を引く方向に揃っている上記開封容易な袋が提供される。
【００２１】
本発明による作用は次の通りである。
すなわち、本発明の最大の特徴は、従来より紙袋の開封手段として使用されてきた、開封テープを使用することなく、それに代えて、袋の開口部を封鎖するアウターパッチにミシン目を刻設し、且つ、前記開口部内に形成される上紙の先端を折り畳む構成が相俟って、開封テープを用いたことによる弊害、すなわち、開封テープを引き裂く際にもたらされる微細な粉塵の発生を抑止できるため、製品への混入を未然に防ぐことができ、かつ、アウターパッチに開封用のプラスチックテープを貼り合わせた開封テープよりも、アウターパッチそのものにミシン目を刻設するだけの本発明が材料費の抑制という点でも経済的にすぐれていることがわかる。
【００２２】
また、上記上紙の折り畳みは、１回折り畳みでも目的を達成できるが、輸送時の激しい振動にも堪え得るために２回折り畳みにしておいてもよい。
【００２３】
本発明におけるミシン目とは、アウターパッチの任意の箇所に断続的に刻設されていればよく、ミシン目がアウターパッチの表裏に貫通していても、貫通していなくても、外力により開封されるものであればよい。またミシン目の配列は、少なくとも１列であり、２列であることが最も好ましい。また、ミシン目の配列が２列以上の場合、列間同士の距離は８ｍｍ以上であることが好ましい。列間同士の距離が８ｍｍ以下の場合、不意の衝撃等によって、並行するミシン目が互いに干渉してしまい当該部分から破断する虞がある。本発明においてミシン目はアウターパッチの引き裂き方向の端部から端部まで全体にわたって形成されているものが一般的に用いられる。
【００２４】
また、袋の内容物を小出しにしたい場合には、ミシン目はアウターパッチの中央部だけに形成されていてもよく、一例として、釣り針状に形成されるものが挙げられる。
【００２５】
それ以外にも、ミシン目の形状は袋の内容物に応じて様々なものが適用し得るが、ミシン目を２列に形成した場合の一例を図２に示した。
図２の例からもわかるように、アウターパッチの端部まで２列のミシン目を施した場合は、ミシン目の端部に切り裂き開始用の切込みを形成しておくことが好ましい。
【００２６】
なお、図２のｅに示した例では、アウターパッチの表面から裏面まで貫通しない半切のミシン目が刻設され、アウターパッチの裏面からは表面まで貫通しないミシン目が刻設されている。
【００２７】
本発明において用いられるアウターパッチの紙力強度は、一定の坪量を有する従来から開封テープに用いられているものが、特に制限なく用いることが出来るが、本発明において、最も好ましいアウターパッチとして用いられるものは、アウターパッチを構成する繊維質が、ミシン目と同じ方向に抄紙されているものを使用することである。
【００２８】
つまり、アウターパッチは、楮やミツマタなどの繊維質を含む原材料を抄紙して得られるものであるが、その抄紙工程において、繊維質を一定方向に抄紙したものが、ミシン目の引き裂き時に微粉の発生が抑制され、且つ、操作がスムーズに行われるので、最も好ましいものとして挙げることが出来る。
【００２９】
アウターパッチにミシン目を刻設するには、ダイキャストの技術が応用されるのが一般的である。この場合、一方のカレンダーロールの表面に突設されたミシン目に対応して、他方のカレンダーロールの表面には、凹説されたミシン目が形成されており、ロール間に配設されたアウターパッチは、カレンダーロールの回転に伴って、ミシン目が刻設される。
【発明の効果】
【００３０】
本発明の開封容易な袋によれば、簡易な構造でありながら、従来の開封テープに代えて、ミシン目を刻設したアウターパッチを用い、開口部を構成する上紙の先端を折り畳むことにより、開封時における微粉の発生を伴うことなく、且つ、材料費を節減しつつ内容物の漏洩を伴うことなく、開封を容易且つ完全に行うことが出来る効果がある。
【００３１】
また、本発明の開封容易な袋によれば、上記の効果に加えて、内容物である粉粒体の漏れの完全な阻止を確実にする効果がある。
【００３２】
また、本発明の開封容易な袋によれば、上記の効果に加えて、特定のアウターパッチを使用することにより、よりスムーズな袋の開封操作が達成できる効果がある。
【図面の簡単な説明】
【００３３】
【図１】実施例１に示した、本発明の実施の形態における開封容易な袋の構成を示す平面図である。
【図２】本発明で用いるアウターパッチに刻設されるミシン目の一例を示す平面図である。
【図３】本発明のミシン目が刻設されたアウターパッチを袋の開口部に接合した完成図の平面図である。
【発明を実施するための形態】
【００３４】
以下に、図面を参照して本発明を実施するための形態を説明する。
【実施例１】
【００３５】
図面において、１は開封容易な袋であり、この開封容易な袋１は、平坦に折り潰した紙状筒２の一方の開口端部３Ａにこれと平行な折り目４を開口端３ａから充分に離れた位置に付け、折り目４まで開口端３ａの両角を折り込み、その状態で形成した上紙２ａ及び下紙２ｂの一方を折り目４に沿い展開して、両側及びそれらの中心部に三角折込み部５、６及び開口部７を有する展開面８を形成し、この展開面８の上紙２ａ及び下紙２ｂに、これらを開口部７側に折り畳んで開口部７を充分に塞ぎ且つ折り目４と平行な折れ筋９ａ、９ｂを付けて、これらの折れ筋９ｂに沿い下紙２ｂを開口部７側に折り畳んで両側の三角折込み部５、６同士で貼り合わせた。
【００３６】
次に、上紙２ａの端辺を折れ筋９ａと平行に所定幅ｗを有して開口部７側に折り畳んで折曲げ片１０を形成し、その状態の上紙２ａを、折れ筋９ａに沿い開口部７側に折り畳んで折曲げ片１０を貼らない状態で下紙２ｂ上に、貼り合わせて開口部７を塞ぎ、さらに、上紙２ａ及び下紙２ｂ上全面に、クラフト紙の中央部から外側に位置する部分に、列間の間を１０ｍｍにした２列のミシン目を刻設したアウターパッチで覆い（図３参照）、その周囲を接合して貼り合わせた。このミシン目を刻設したアウターパッチ１１は、通常、上紙２ａの折曲げ片１０より外側に位置している。
【００３７】
本発明において、最も重要な特徴は、上記の構成からなる袋の開封時に、従来用いられてきた開封テープに代えて、ミシン目を刻設したアウターパッチを使用することにある。
図３には、袋本体に本発明のミシン目を刻設したアウターパッチを接合した完成品の平面図を示した。
【００３８】
従来使用されてきた開封テープに代えて、ミシン目を刻設したアウターパッチを使用する目的と効果については前述したとおり、開封時に微粉の発生を伴わずに、開封性に優れ、且つ、少ない材料費で目的を達成し得るというものであり、その有用性は実務上顕著なものがある。
【００３９】
紙状筒２は、径及び長さとも使用目的に合わせた任意のものが選択され、この実施例では２枚重ねにしたものが使用されているが、これに限定されず３層以上の多層でも良い。紙状筒２の材質はクラフト紙に限らず、脱気性を付与し且つ所定の強度を有したものであれば、特に限定がなく、樹脂シート、紙に樹脂シートを貼り付けたものなどが使用される。
【００４０】
そして、開封容易な袋１内に充填されている粉粒体を排出する場合には、ミシン目を刻設したアウターパッチの上から外力を加えれば、上紙２ａの折曲げ片１０部分を裸出でき、折曲げ片１０部分は貼り合わせされていないので、折曲げ片１０部分を手指で容易につまむことができ、上紙２ａの剥離のりで貼り合わせてある部分を剥がせば、開口部７を開放できて、内容物を取り出すことができる。
【００４１】
すなわち、本発明によれば、開封容易な袋１を他の器具類を使用しないで、容易に開封出来て、粉粒体を取り出し使用することが出来る。
【００４２】
また、上記実施例１において用いられているアウターパッチに代えて、アウターパッチを、繊維質がミシン目と同じ方向に抄紙されたものを使用したところ、開封時に微粉の発生は全くなく、且つ、切り裂き操作が極めてスムーズにおこなわれた。
【００４３】
以上、本発明の実施例１を説明したが、具体的な構成はこれに限定されず、本発明の要旨を逸脱しない範囲での変更は適宜可能であることは理解されるべきである。
【産業上の利用可能性】
【００４４】
本発明の開封容易な袋は、簡易な構造のために費用の低減を図ることが出来、且つ、開封時に微粉の発生を伴わずに、内容物である粉粒体の漏れの完全な阻止や必要な強度に対し充分に満足した上で、開封を容易且つ完全に行いたいような場合に、利用可能性が極めて高くなる。
【符号の説明】
【００４５】
１                        開封容易な袋
２                        紙状筒
２ａ                      上紙
２ｂ                      下紙
３Ａ                      一方の開口端部
３ａ                      開口端
４                        折り目
５、６                    三角折込み部
７                        開口部
８                        展開面
９ａ、９ｂ                折れ筋
１０                      折曲げ片
１１                      ミシン目を刻設したアウターパッチ
１２                        アウターパッチに刻設されたミシン目の例
【図１】
2019085166.tif 000003
【図２】
2019085166.tif 000004
【図３】
2019085166.tif 000005